(57)【要約】【目的】各周波数帯毎の最適条件を適用できて設計を容易にする二周波切替発振器を提供する。【構成】水晶振動子を含む発振回路３からなる第１水晶発振器と第２水晶発振器とを備え、前記第１水晶発振器及び前記第２水晶発振器と電源との間に第１電子スイッチ及び第２電子スイッチを設けるとともに、前記第１水晶発振器及び前記第２水晶発振器の出力側に第３スイッチ及び第４スイッチを設けて共通接続して出力端とし、前記第１スイッチ及び前記第３スイッチと前記第２スイッチ及び前記第４スイッチとはＯＮ・ＯＦＦ動作が互いに逆動作とした構成とする。【選択図】図１
2004179706.tif 000002
【特許請求の範囲】
【請求項１】
水晶振動子を含む発振回路からなる第１水晶発振器と第２水晶発振器とを備え、前記第１水晶発振器及び前記第２水晶発振器と電源との間に第１電子スイッチ及び第２電子スイッチを設けるとともに、前記第１水晶発振器及び前記第２水晶発振器の出力側に第３スイッチ及び第４スイッチを設けて共通接続して出力端とし、前記第１スイッチ及び前記第３スイッチと前記第２スイッチ及び前記第４スイッチとはＯＮ・ＯＦＦ動作が互いに逆動作としたことを特徴とするニ周波切替型の水晶発振器。
【発明の詳細な説明】
【０００１】
【発明の属する技術分野】
本発明は２つの発振周波数を選択的に切り替えて使用する二周波切替型の水晶発振器（以下、二周波切替発振器とする）を産業上の技術分野とし、特に水晶発振器の負荷抵抗値を選択的に異ならせた水晶発振器に関する。
【０００２】
【従来の技術】
（発明の背景）水晶発振器は特に周波数の基準源として使用され、例えば光通信システムに適用される。近年では、システム上例えば１５０ＭＨｚ帯と６００ＭＨｚ帯のいずれか一方を使用したい場合があり、二周波切替発振器が求められている（特許文献１及び２）。
【０００３】
（従来技術の一例）第３図は一従来例を説明する水晶発振器のブロック図である。
二周波切替発振器は、１５０ＭＨｚ帯と６００ＭＨｚ帯とした振動周波数の異なる第１と第２の水晶振動子１（ａｂ）を配備し、電子スイッチ２によって発振回路３に接続される。電子スイッチは例えばトランジスタからなり、発振回路３は図示しない発振用増幅器等を有して例えばコルピッツ型とする。そして、通常では、第４図に示したように発振閉ループ内に電圧可変容量素子４を挿入して電圧制御型とする。図中の符号５は高周波素子抵抗である。
【０００４】
【発明が解決しようとする課題】
（従来技術の問題点）しかしながら、上記構成の二周波切替発振器では、１５０ＭＨｚと６００ＭＨｚ帯発振回路３を共用する。したがって、発振回路３はいずれの周波数帯でも発振条件を満足しなければならず、各周波数帯毎の最適な条件を適用できなくなるとともに設計を困難にする問題があった
【０００５】
（発明の目的）本発明は各周波数帯毎の最適条件を適用できて設計を容易にする二周波切替発振器を提供することを目的とする。
【０００６】
【特許文献１】特願２００１−１６３２３６号
【特許文献２】特開２００２−２９０１５３号公報
【０００７】
【課題を解決するための手段】
本発明は、水晶振動子を含む発振回路からなる第１水晶発振器と第２水晶発振器とを備え、前記第１水晶発振器及び前記第２水晶発振器と電源との間に第１電子スイッチ及び第２電子スイッチを設けるとともに、前記第１水晶発振器及び前記第２水晶発振器の出力側に第３スイッチ及び第４スイッチを設けて共通接続して出力端とし、前記第１スイッチ及び前記第３スイッチと前記第２スイッチ及び前記第４スイッチとはＯＮ・ＯＦＦ動作が互いに逆動作とした構成とする。
【０００８】
これにより、第１スイッチと第３スイッチが例えばＯＮになると第２スイッチと第４スイッチがＯＦＦになる。したがって、第１水晶発振器が動作して第２水晶発振器が停止する。また、第１水晶発振器と第２水晶発振器とが電気的に遮断されるので、第２水晶発振器の影響を受けることがない。以下、本発明の一実施例を説明する。
【０００９】
【実施例】
第１図は本発明の一実施例を説明する二周波切替発振器のブロック図である。なお、前従来例と同一部分には同番号を付与してその説明は簡略又は省略する。
【００１０】
二周波切替発振器は水晶振動子１（ａｂ）を含む発振回路３（ａｂ）からなる第１水晶発振器６ａと第２水晶発振器６ｂとを備える。第１と第２水晶発振器６（ａｂ）は共通とした電源Ｖｃｃとの間に第１と第２電子スイッチ７（ａｂ）を有する。また、出力端Ｖｏｕｔを共通として、出力端との間にそれぞれ第３と第４スイッチ７（ｃｄ）を有する。各電子スイッチ７（ａｂｃｄ）はＭＯＳやトランジスタ等からなる。
【００１１】
そして、第１と第３スイッチ７（ａｃ）はインバータ８を経て選択端子９に接続し、第２と第４スイッチ７（ｂｄ）は選択端子９に直接に接続する。選択端子９は抵抗１１を経て電源Ｖｃｃに接続し、アースとの間に接地可能な導通線路１０を有する。導通線路１０は初期状態では開放端とする。
【００１２】
このようなものでは、先ず、導通線路１０を初期状態の開放端とすると、次の動作になる。すなわち、電源電圧によって、第２と第４電子スイッチ７（ｂｄ）には１信号が入力され、第１と第３スイッチ７（ａｃ）にはインバータ８によって０信号が入力される。したがって、第１〜第４電子スイッチ７（ａｂｃｄ）のそれぞれが１信号でＯＮ（導通）、０信号でＯＦＦ（遮断）とすると、第２水晶発振器６ｂが動作して、第１水晶発振器６ａは停止状態になる。
【００１３】
また、第４スイッチ７ｄがＯＮして出力端Ｖｏｕｔに導通し、第３スイッチ７ｃがＯＦＦとなり出力端Ｖｏｕｔ及び第１と第２水晶発振器６（ａｂ）が電気的に遮断される。したがって、導通線路１０が開放端の場合は、第２水晶発振器６ｂが選択されて動作（発振）する。そして、第１と第２水晶発振器６（ａｂ）が第３スイッチ７ｃによって遮断される。
【００１４】
次に、導通線路１０をアースに接地したとすると、次の動作になる。すなわち、電源Ｖｃｃが接地されるので、第２と第４スイッチ７（ｂｄ）には０信号が、第１と第３スイッチ７（ａｃ）にはインバータ８によって１信号が入力される。したがって、この場合には先とは逆に、第１と第３スイッチ７（ａｃ）がＯＮして第１水晶発振器６ａを動作して出力端Ｖｏｕｔに導通し、第２と第４スイッチ７（ｂｄ）がＯＦＦして第２水晶発振器６ｂを停止状態にして、出力端Ｖｏｕｔ及び第１と第２水晶発振器６（ａｂ）とが電気的に遮断される。
【００１５】
このようなことから、本実施例では導通線路１０を開放端にすると第２水晶発振器６ｂを、アースに接地すると第１水晶発振器６ａを動作できる。要するに、第１及び第３スイッチ７（ａｃ）と第２及び第４スイッチ７（ｂｄ）とはＯＮ・ＯＦＦ動作が互いに逆動作として第１又は第２水晶発振器６（ａｂ）を選択して動作する。
【００１６】
そして、いずれを選択した場合でも、第１と第２水晶発振器６（ａｂ）は電気的に遮断されるので、独立した発振器として設計を容易にする。そして、第１と第２水晶発振器６（ａｂ）の周波数帯毎に最適条件での設計を可能にする。仮に、第２水晶発振器６ｂが動作中として第３と第４スイッチ７（ｃｄ）がＯＮとすると、第１水晶発振器６ａは第２水晶発振器６ｂの負荷となって影響を及ぼし、独立した設計を困難にする。
【００１７】
【他の事項】
上記実施例では第１と第２水晶発振器６（ａｂ）のいずれかを選択し、他方は０信号又は１信号によって第１又は第２スイッチ７（ａｂ）をＯＦＦとして停止状態としたが、例えば第２図に示したようにしても良い。すなわち、第１と第２水晶発振器７（ａｂ）の第１と第２スイッチ６（ａｂ）と電源Ｖｃｃとの間に半導体ヒューズ素子１２を挿入する。
【００１８】
そして、例えば第１水晶発振器６ａを動作、第２水晶発振器６ｂを停止状態とする場合には、第１水晶発振器６ａを停止、第２水晶発振器６ｂを動作状態として別電源から過電流を流して断線する。これにより、第２水晶発振器６ｂを完全に動作不能にして、第１水晶発振器６ａへの影響を防止してもよい。
【００１９】
また、第１〜第４スイッチ７（ａｂｃｄ）は１信号でＯＮ、０信号でＯＦＦとしたが、０信号でＯＮ、１信号でＯＦＦとしてもよい。そして、電圧可変容量素子を発振閉ループに挿入して電圧制御発振器としてもよいことは勿論である。また、周波数帯は１５０ＭＨｚと６００ＭＨｚ帯としたが、これに限らず異なる２周波であれば適用できる。
【００２０】
【発明の効果】
本発明は、水晶振動子を含む発振回路からなる第１水晶発振器と第２水晶発振器とを備え、前記第１水晶発振器及び前記第２水晶発振器と電源との間に第１電子スイッチ及び第２電子スイッチを設けるとともに、前記第１水晶発振器及び前記第２水晶発振器の出力側に第３スイッチ及び第４スイッチを設けて共通接続して出力端とし、前記第１スイッチ及び前記第３スイッチと前記第２スイッチ及び前記第４スイッチとはＯＮ・ＯＦＦ動作が互いに逆動作とした構成とする。したがって、各周波数帯毎の最適条件を適用できて設計を容易にする二周波切替発振器を提供することを目的とする。
【図面の簡単な説明】
【図１】本発明の一実施例を説明する二周波切替発振器のブロック図である。
【図２】本発明の他の実施例を説明する二周波切替発振器のブロック図である。
【図３】従来例を説明する二周波切替発振器のブロック図である。
【図４】従来例の他例を説明する二周波切替発振器のブロック図である。
【符号の説明】
１  水晶振動子、２、７  電子スイッチ、３  発振回路、４  電圧可変容量素子、５  高周波素子抵抗、６  水晶発振器、８  インバータ、９  選択端子、１０  導通線路、１１  抵抗、１２  半導体ヒューズ素子。
【図１】
2004179706.tif 000003
【図２】
2004179706.tif 000004
【図３】
2004179706.tif 000005
【図４】
2004179706.tif 000006